(57)【要約】【課題】構造物を壊す打撃作業に用いられる打撃工具であって、コードレス化の利便性を享受できながら、稼動する時間を十分に得られるようにする。【解決手段】打撃工具１０は、打撃駆動する打撃軸線Ｘと交差する左右方向に工具本体１１から突出される一対のハンドル１７，１８を有している。この工具本体１１には充電式バッテリ４０を着脱可能とする２つのバッテリ装着部５１ａ，５１ｂが設けられている。ここで電動モータ２１には２つのバッテリ装着部５１ａ，５１ｂのそれぞれに装着された２つの充電式バッテリ４０のそれぞれから電力を供給することができる。【選択図】図１
2016165783.tif 000002
【特許請求の範囲】
【請求項１】
打撃駆動する打撃軸線と交差する左右方向に工具本体の頭部から一対のハンドルが突出される打撃工具であって、
前記工具本体には、駆動源となるモータの電源となる充電式バッテリが着脱可能に装着されるバッテリ装着部が配設されており、
前記バッテリ装着部は、複数の充電式バッテリを電源として使用可能に前記工具本体に複数設けられている、打撃工具。
【請求項２】
請求項１に記載の打撃工具において、
前記バッテリ装着部のそれぞれは、前記工具本体の頭部に設定されている、打撃工具。
【請求項３】
請求項２に記載の打撃工具において、
前記バッテリ装着部のそれぞれは、前記工具本体の頭部の左右それぞれの側面に設定されている、打撃工具。
【請求項４】
請求項２または請求項３に記載の打撃工具において、
前記工具本体は、前記モータを含んで打撃運動を発生させる駆動部を有し、
前記工具本体の頭部は、前記駆動部に対して弾性部材を介して支持されている、打撃工具。
【請求項５】
請求項１に記載の打撃工具において、
前記バッテリ装着部のそれぞれは、前記ハンドルに対して打撃出力側となる前記工具本体の胴体の左右それぞれの側面に設定されており、
左側面に配置される左側バッテリ装着部は、該左側バッテリ装着部に装着された充電式バッテリの外周面が前記工具本体の最下端と左ハンドルの左端とを結ぶ左側境界線より右側の範囲に収められるように設定されており、
右側面に配置される右側バッテリ装着部は、該右側バッテリ装着部に装着された充電式バッテリの外周面が前記工具本体の最下端と右ハンドルの右端とを結ぶ右側境界線より左側の範囲に収められるように設定されている、打撃工具。
【請求項６】
請求項１から請求項５のいずれかに記載の打撃工具において、
前記工具本体には、前記充電式バッテリを覆うカバーが設けられている、打撃工具。
【請求項７】
請求項１から請求項５のいずれかに記載の打撃工具において、
前記工具本体には、前記バッテリ装着部に装着された充電式バッテリを外部衝突から守る保護部材が設けられている、打撃工具。
【請求項８】
請求項１から請求項７のいずれかに記載の打撃工具において、
前記バッテリ装着部は、前記打撃軸線を挟んで前記モータ配置側とは反対側に設定されている、打撃工具。
【発明の詳細な説明】
【技術分野】
【０００１】
この発明は、構造物を壊す打撃作業に用いられる打撃工具に関する。
【背景技術】
【０００２】
従来、はつりと称される構造物を壊す作業に、打撃工具が用いられている。このような打撃工具は、駆動源として電動モータが内蔵される。電動モータは、クランク機構を介して内蔵されるピストンを往復動させる。往復動するピストンは、内蔵される打撃子に往復動の伝達をする。往復動が伝達された打撃子は、工具先端（工具下端）に取り付けられたビットを連動させる。ビットは、構造物に対して破壊するように打撃駆動する。このような打撃工具には、打撃駆動する打撃軸線と交差する左右方向に工具本体から一対のハンドルが突出されるものが知られている（例えば特許文献１参照）。
【先行技術文献】
【特許文献】
【０００３】
【特許文献１】特開２００５−２５４４２３号公報
【発明の概要】
【発明が解決しようとする課題】
【０００４】
ところで、上記した打撃工具にあっては、利便性の観点からコードレス化を図りたいとの要請がある。しかしながら、電源として装着される充電式バッテリの電力には限りがあり、高出力が求められる打撃工具であっても十分な電力量を充電式バッテリから確保できるようにしておきたい。
【０００５】
本発明は、このような事情に鑑みなされたものであって、本発明が解決しようとする課題は、打撃駆動する打撃軸線と交差する左右方向に工具本体から一対のハンドルが突出されて打撃作業に用いられる打撃工具であって、コードレス化の利便性を享受できるようにしながら、高出力が求められる打撃工具であっても十分な電力量を充電式バッテリから確保できるようにすることにある。
【課題を解決するための手段】
【０００６】
上記した課題を解決するにあたって本発明に係る打撃工具は次の手段をとる。すなわち、本発明の第１の発明は、打撃駆動する打撃軸線と交差する左右方向に工具本体の頭部から一対のハンドルが突出される打撃工具であって、前記工具本体には、駆動源となるモータの電源となる充電式バッテリが着脱可能に装着されるバッテリ装着部が配設されており、前記バッテリ装着部は、複数の充電式バッテリを電源として使用可能に前記工具本体に複数設けられている、という構成である。
【０００７】
この第１の発明によれば、バッテリ装着部は複数の充電式バッテリを電源として使用可能に工具本体に複数設けられているので、バッテリ装着部に装着された充電式バッテリからモータに電力供給することができる。これによって、コードレス化の利便性を享受できる打撃工具とすることができる。また、バッテリ装着部は複数設けられているので、複数の充電式バッテリから電力を供給することができる。これによって、高出力が求められる打撃工具であっても十分な電力量を複数の充電式バッテリから確保することができる。例えば、複数の充電式バッテリを直列接続して高電圧の電力により打撃工具に高出力させることができる。具体的には、定格電圧が１８Ｖの２つの充電式バッテリを直列接続することにより、３６Ｖ仕様の電源として電力供給を可能とする。また、複数の充電式バッテリを並列接続して大容量の電力により打撃工具の稼動時間を延ばすことができる。具体的には、定格電圧が１８Ｖの２つの充電式バッテリを並列接続することにより、打撃工具の稼動時間を２倍の長さに延ばすことができる。
【０００８】
本発明の第２の発明は、前記第１の発明に係る打撃工具において、前記バッテリ装着部のそれぞれは、前記工具本体の頭部に設定されている、という構成である。この第２の発明によれば、バッテリ装着部のそれぞれは工具本体の頭部に設定されているので、打撃工具が倒れることがあっても、バッテリ装着部に装着された充電式バッテリを地面に当てられ難くすることができる。これによって、バッテリ装着部に装着された充電式バッテリの保護を図ることができる。また、このように工具本体の頭部にバッテリ装着部が設けられていると、使用者は立ったままで充電式バッテリを着脱することができて充電式バッテリの交換がし易くなる。
【０００９】
本発明の第３の発明は、前記第２の発明に係る打撃工具において、前記バッテリ装着部のそれぞれは前記工具本体の頭部の左右それぞれの側面に設定されている、という構成である。この第３の発明によれば、バッテリ装着部のそれぞれは工具本体の頭部の左右それぞれの側面に設定されているので、バッテリ装着部に充電式バッテリを装着させている場合の左右バランスが保たれたものとなる。これによって、重量バランスに優れた使用者にとって扱い易い打撃工具となる。
【００１０】
本発明の第４の発明は、前記第２または前記第３の発明に係る打撃工具において、前記工具本体は、前記モータを含んで打撃運動を発生させる駆動部を有し、前記工具本体の頭部は、前記駆動部に対して弾性部材を介して支持されている、という構成である。この第４の発明によれば、工具本体の頭部のバッテリ装着部に充電式バッテリを装着すると、工具本体の頭部側の質量は大きくなって、工具本体の頭部側の防振効果は高められる。これによって、工具本体の頭部のハンドルは、振動が少ない扱い易いハンドルとなる。また、駆動部にて発生される振動は、弾性部材を介して、工具本体の頭部のバッテリ装着部に伝達される。これによって、充電式バッテリには軽減された振動が伝達されることとなって、振動による充電式バッテリの傷みを抑えることができる。
【００１１】
本発明の第５の発明は、前記第１の発明に係る打撃工具において、前記バッテリ装着部のそれぞれは、前記ハンドルに対して打撃出力側となる前記工具本体の胴体の左右それぞれの側面に設定されており、左側面に配置される左側バッテリ装着部は、該左側バッテリ装着部に装着された充電式バッテリの外周面が前記工具本体の最下端と左ハンドルの左端とを結ぶ左側境界線より右側の範囲に収められるように設定されており、右側面に配置される右側バッテリ装着部は、該右側バッテリ装着部に装着された充電式バッテリの外周面が前記工具本体の最下端と右ハンドルの右端とを結ぶ右側境界線より左側の範囲に収められるように設定されている、という構成である。
【００１２】
この第５の発明によれば、バッテリ装着部のそれぞれはハンドルに対して打撃出力側となる工具本体の胴体の左右それぞれの側面に設定されているので、打撃工具の重心位置を下に下げることができる。ここで、左側バッテリ装着部に装着された充電式バッテリは左側境界線より右側の範囲に収められている。このため、打撃工具が左側に倒れてしまうことがあっても、先ず左ハンドルを地面に当てさせることができ、左側バッテリ装着部に装着された充電式バッテリを地面に当てられ難くする。また、右側バッテリ装着部に装着された充電式バッテリは右側境界線より左側の範囲に収められている。このため、打撃工具が右側に倒れてしまうことがあっても、先ず右ハンドルを地面に当てさせることができ、右側バッテリ装着部に装着された充電式バッテリを地面に当てられ難くする。これによって、バッテリ装着部に装着された充電式バッテリの保護を図ることができる。
【００１３】
本発明の第６の発明は、前記第１から前記第５のいずれかの発明に係る打撃工具において、前記工具本体には前記充電式バッテリを覆うカバーが設けられている、という構成である。この第６の発明によれば、工具本体にはカバーが設けられているので、バッテリ装着部に装着された充電式バッテリを覆うことができて、バッテリ装着部に装着された充電式バッテリの防塵防水効果を高めることができる。
【００１４】
本発明の第７の発明は、前記第１から前記第５のいずれかの発明に係る打撃工具において、前記工具本体には前記バッテリ装着部に装着された充電式バッテリを外部衝突から守る保護部材が設けられている、という構成である。この第７の発明によれば、工具本体には保護部材が設けられているので、バッテリ装着部に装着された充電式バッテリを外部衝突から守ることができる。
【００１５】
本発明の第８の発明は、前記第１から前記第７のいずれかの発明に係る打撃工具において、前記バッテリ装着部は、前記打撃軸線を挟んで前記モータ配置側とは反対側に設定されている、という構成である。なお、この場合には、前記モータは、前記打撃軸線から外された位置に設けられたものとなる。この第８の発明によれば、バッテリ装着部は打撃軸線を挟んでモータ配置側とは反対側に設定されているので、バッテリ装着部に装着された充電式バッテリとモータとの重量バランスを図ることができる。これによって、重量バランスに優れた使用者にとって扱い易い打撃工具となる。
【図面の簡単な説明】
【００１６】
【図１】第１の実施の形態の打撃工具の全体を模式的に示す全体正面図である。
【図２】第２の実施の形態の打撃工具の全体を模式的に示す全体正面図である。
【図３】図２の打撃工具を左側から視た左側面図である。
【図４】図２の打撃工具を上側から視た上面図である。
【図５】第３の実施の形態の打撃工具の全体を模式的に示す全体正面図である。
【図６】第４の実施の形態の打撃工具の全体を模式的に示す全体正面図である。
【図７】第５の実施の形態の打撃工具の全体を模式的に示す全体正面図である。
【図８】第６の実施の形態の打撃工具の全体を模式的に示す全体正面図である。
【発明を実施するための形態】
【００１７】
［第１の実施の形態］
次に、本発明に係る第１の実施の形態の打撃工具１０について図１を参照しながら説明する。図１の全体正面図は、第１の実施の形態の打撃工具１０の全体を模式的に示している。なお、以下の打撃工具１０，１０Ａ，１０Ｂ，１０Ｃ，１０Ｄ，１０Ｅを説明するにあたっては、図面に記載のとおりの前後上下左右に沿って説明するものとする。なお、このように規定される打撃工具の前後上下左右は、この打撃工具の使用態様に鑑み、打撃工具の起立状態において規定される方向である。具体的には、図１では紙面手前側が打撃工具１０の前側となっており、紙面奥側が打撃工具１０の後側となっている。また、図１では紙面上側が打撃工具１０の上側となっており、紙面下側が打撃工具１０の下側となっている。また、図１では紙面右側が打撃工具１０の右側となっており、紙面左側が打撃工具１０の左側となっている。
【００１８】
この打撃工具１０は、下側へ向けて打撃するものであり、コンクリートなどで作られた構造物を壊す打撃作業に用いられる。この打撃工具１０は、電源として２つの充電式バッテリ４０が工具本体１１に装着されて使用される。なお図示符号Ｂは、構造物を壊す際に当てられるビットである。ここで、ビットＢの打撃駆動する駆動軸線が、図示符号Ｘの打撃軸線として設定される。つまり、ビットＢは、次に説明する駆動機構２０により打撃軸線Ｘ上で上下する打撃駆動をする。この打撃軸線Ｘは、この打撃工具１０の上下方向に延びており、打撃工具１０の左右中心軸線とも一致している。
【００１９】
図１に示すように、工具本体１１は、概略、ハンドル１７，１８と、ハンドル１７，１８に対して打撃出力側として設定される工具胴体１３と、ハンドル１７，１８に対して打撃出力反対側として設定される工具頭部１５とを有する。ちなみに工具頭部１５は、ハンドル１７，１８と一体に構成されている。この工具頭部１５に一体にされるハンドル１７，１８は、工具胴体１３に対して僅かであるが互いに相対的に動くことができるように構成されている。このため、工具胴体１３とハンドル１７，１８との間には、防塵カバー１９が設けられて互いを連接している。この防塵カバー１９は、伸縮可能な蛇腹形状を有して形成される。なお、工具胴体１３は、本発明に係る工具本体の胴体に相当し、工具頭部１５は本発明に係る工具本体の頭部に相当する。工具胴体１３は、出力側ハウジング１４を有して打撃機構２５を内装する。これに対し工具頭部１５は、ハンドル１７，１８と共に頭部ハウジング１６の一部として構成されて電動モータ２１を内装する。
【００２０】
電動モータ２１は、回転駆動力が伝達される動力変換機構２３と連ねるように配置されている。電動モータ２１と動力変換機構２３とは、駆動部ハウジング２４に内装されている。動力変換機構２３は、出力側ハウジング１４と頭部ハウジング１６との両者に亘って内装されている。頭部ハウジング１６は、駆動部ハウジング２４に弾性支持される関係にある。具体的に言えば、頭部ハウジング１６は、ばね部材２９を介して駆動部ハウジング２４に支持されている。つまり、ばね部材２９は、頭部ハウジング１６を駆動部ハウジング２４に対して上下方向で弾性支持する。ばね部材２９は、本発明に係る弾性部材に相当する。ばね部材２９は、主に上下方向に弾性変形可能なコイルばねにて構成され、駆動部ハウジング２４に対して少なくとも左右一対に配設されている。なお、駆動部ハウジング２４は、本発明に係る駆動部の一部として構成される。
【００２１】
駆動部としての駆動機構２０は、電動モータ２１、動力変換機構２３、打撃機構２５により構成される。電動モータ２１は、本発明に係るモータに相当し、打撃工具１０の駆動源となっている。この電動モータ２１は、モータ軸の軸線が左右方向に延びる横置きにて配置されている。なお、この左右方向は、この打撃軸線Ｘと直交交差する方向として規定される。電動モータ２１は、後に詳述する２つのバッテリ装着部５０のそれぞれに装着された２つの充電式バッテリ４０から電力が供給されて回転駆動力を発生させる。電動モータ２１により発生された回転駆動力は動力変換機構２３に伝達される。なお、駆動機構２０を構成する、電動モータ２１、動力変換機構２３、打撃機構２５は、打撃軸線Ｘ上に配置されている。
【００２２】
動力変換機構２３は、図示省略のクランク等を内蔵し、伝達された回転駆動力を往復動運動に変換する。動力変換機構２３により変換された往復動運動は、打撃機構２５に伝達される。打撃機構２５は、図示省略のピストンおよび打撃子を内蔵し、伝達された往復動運動を受けて工具保持部２７を打撃駆動させる。工具保持部２７は、ツールホルダ２７１とツールリテーナ２７２とを有し、先端工具としてのビットＢを保持する。この工具保持部２７に保持されるビットＢは、工具保持部２７の打撃駆動を受けて構造物を壊す打撃駆動をする。なお、この工具保持部２７をなすツールホルダ２７１の位置が工具本体１１の最下端として設定される。
【００２３】
頭部ハウジング１６には左ハンドル１７と右ハンドル１８が設けられている。これらの左ハンドル１７と右ハンドル１８のそれぞれは、打撃軸線Ｘと直交交差する左右方向に工具本体１１から突出して設定される。つまり、これらの左ハンドル１７と右ハンドル１８のそれぞれは、打撃軸線Ｘを中心にして左右対称配置された一対のハンドルとなっている。つまり、使用者が打撃工具１０を使用するにあたっては、左ハンドル１７は左手で握られ右ハンドル１８は右手で握られて使用される。なお、駆動機構２０を構成する電動モータ２１と動力変換機構２３と打撃機構２５とは、この打撃軸線Ｘ上に存するように配置されている。また、右ハンドル１８には図示省略のスイッチレバーが設けられている。
【００２４】
工具本体１１には、充電式バッテリ４０が着脱可能に装着されるバッテリ装着部５０が設けられている。なお、このバッテリ装着部５０は、後に説明する他の実施の形態のバッテリ装着部５０と比較して、工具本体１１に対する配設箇所については相違するものの、充電式バッテリ４０が装着される構成については同一のものとなっている。このため、全ての実施の形態のバッテリ装着部に対して括弧書きで共通符号５０を付している。なお、このバッテリ装着部５０に着脱可能に装着される充電式バッテリ４０は、電動モータ２１に供給する電力が充電される。充電式バッテリ４０は、インパクトドライバやレシプロソーなどの多くの電動工具にて共用される充電式バッテリ（例えば株式会社マキタ製ＢＬ１８４０，ＢＬ３６２６等）となっている。
【００２５】
バッテリ装着部５０は、上記した電動工具に設けられるバッテリ装着部と同様、スライドさせることにより着脱されるスライド式の充電式バッテリ４０に対応した構造となっている。すなわち、充電式バッテリ４０は、バッテリ装着部５０に対して装着完了とされる場合には、図示省略の係止フックの係止によりバッテリ装着部５０に対して相対的に固定される。これに対して、充電式バッテリ４０の係止解除ボタンを押すと、バッテリ装着部５０に対する充電式バッテリ４０の係止フックの係止は解除される。そうすると、バッテリ装着部５０に対する充電式バッテリ４０の相対的なスライドは可能となり、充電式バッテリ４０をスライドさせてバッテリ装着部５０から取り外すことができる。このように設定されるバッテリ装着部５０は、工具本体１１に対して次のような位置に設けられる。
【００２６】
第１の実施の形態のバッテリ装着部５１（５０）は、図１に示すように工具本体１１の工具頭部１５に２つ設けられている。このバッテリ装着部５１は、頭部ハウジング１６の左右位置に対をなすように設けられている。すなわち、工具頭部１５の左側面１５ａには左側バッテリ装着部５１ａが設けられている。この左側バッテリ装着部５１ａは、左ハンドル１７の基端部１７ａ上側の頭部ハウジング１６に、左側に装着面を向けて設定されている。工具頭部１５の右側面１５ｂには右側バッテリ装着部５１ｂが設けられている。この右側バッテリ装着部５１ｂは、右ハンドル１８の基端部１８ａ上側の頭部ハウジング１６に、右側に装着面を向けて設定されている。つまり、バッテリ装着部５１は、頭部ハウジング１６の上部の左右両側面に、互いの装着面が外側に向けられて設定されている。
【００２７】
これら左側バッテリ装着部５１ａと右側バッテリ装着部５１ｂとには、上から下に向けてスライドさせることにより充電式バッテリ４０が装着される。つまり、これら左側バッテリ装着部５１ａと右側バッテリ装着部５１ｂとは、工具頭部１５において打撃軸線Ｘに対して左右対称に設定されている。つまり、これらのバッテリ装着部５１ａ，５１ｂに装着された２つの充電式バッテリ４０の重心は、打撃軸線Ｘ上に存するように設定されている。なお、頭部ハウジング１６の前後方向の寸法は、バッテリ装着部５１ａ，５１ｂに装着された充電式バッテリ４０の前後方向の寸法よりも長くなっている。
【００２８】
上記した打撃工具１０によれば、次の作用効果を奏することができる。すなわち、上記した打撃工具１０によれば、工具本体１１には充電式バッテリ４０を着脱可能とするバッテリ装着部５１ａ，５１ｂが２つ設けられ、電動モータ２１には２つのバッテリ装着部５１ａ，５１ｂのそれぞれに装着された２つの充電式バッテリ４０のそれぞれから電力供給することができる。これによって、コードレス化の利便性を享受できる打撃工具１０とすることができる。また、バッテリ装着部５１ａ，５１ｂは２つ設けられているので、２つの充電式バッテリ４０から電力を供給することができる。これによって、高出力が求められる打撃工具１０であっても十分な電力量を２つの充電式バッテリ４０から確保することができる。例えば、２つの充電式バッテリ４０を直列接続して高電圧の電力により打撃工具１０に高出力させることができる。具体的には、定格電圧が１８Ｖの２つの充電式バッテリ４０を直列接続することにより、３６Ｖ仕様の電源として電力供給を可能とする。また、２つの充電式バッテリ４０を並列接続して大容量の電力により打撃工具１０の稼動時間を延ばすことができる。具体的には、定格電圧が１８Ｖの２つの充電式バッテリ４０を並列接続することにより、打撃工具１０の稼動時間を２倍の長さに延ばすことができる。
【００２９】
また、上記した打撃工具１０によれば、２つのバッテリ装着部５１ａ，５１ｂのそれぞれは工具頭部１５に設定されているので、打撃工具１０が左右で倒れることがあっても、先ず工具本体１１の側面に配置されるハンドル１７，１８を地面に当てさせることとなって、バッテリ装着部５１ａ，５１ｂに装着された充電式バッテリ４０が地面に当てられ難くなっている。また、打撃工具１０が前後で倒れることがあっても、前後方向の寸法が長い頭部ハウジング１６の方が、バッテリ装着部５１ａ，５１ｂに装着される充電式バッテリ４０よりも地面に当たり易くなっている。これによって、バッテリ装着部５１ａ，５１ｂに装着された充電式バッテリ４０の保護を図ることができる。また、このように工具頭部１５にバッテリ装着部５１ａ，５１ｂが設けられていると、使用者は立ったままで充電式バッテリ４０を着脱することができて充電式バッテリ４０の交換がし易くなる。
【００３０】
また、上記した打撃工具１０によれば、バッテリ装着部５１ａ，５１ｂのそれぞれは工具頭部１５の左右それぞれの側面に設定されているので、バッテリ装着部５１ａ，５１ｂに充電式バッテリ４０を装着させている場合の左右バランスが保たれたものとなる。これによって、重量バランスに優れた使用者にとって扱い易い打撃工具１０となる。また、上記した打撃工具１０によれば、工具頭部１５は駆動部ハウジング２４に対してばね部材２９を介して支持されている。このため、工具頭部１５のバッテリ装着部５１ａ，５１ｂに充電式バッテリ４０を装着すると、工具頭部１５側の質量は大きくなって、工具頭部１５側の防振効果は高められる。これによって、工具頭部１５のハンドル１７，１８は、振動が少ない扱い易いハンドルとなる。また、駆動機構２０にて発生される振動は、ばね部材２９を介して、工具頭部１５のバッテリ装着部５１ａ，５１ｂに伝達される。これによって、充電式バッテリ４０には軽減された振動が伝達されることとなって、振動による充電式バッテリ４０の傷みを抑えることができる。
【００３１】
［第２の実施の形態］
これ以降、上記した第１の実施の形態とは相違する第２〜第６の実施の形態について図２〜図８を参照しながら説明する。なお、これらの第２〜第６の実施の形態にあっては、上記した第１の実施の形態の打撃工具１０と比較して、概ね、バッテリ装着部５０の配設位置などに関する構成のみが相違するものとなっている。このため、以下に説明する第２〜第６の実施の形態では、他の実施の形態と略同様に構成される箇所について他の実施の形態にて付した符号と同一の符号を図面に付して説明を省略するものとする。次に、第２の実施の形態の打撃工具１０Ａについて図２〜図４を参照しながら説明する。図２の全体正面図は、第２の実施の形態の打撃工具１０Ａの全体を模式的に示している。図３の左側面図は、図２の打撃工具１０Ａを左側から視た図である。図４の上面図は、図２の打撃工具１０Ａを上側から視た図である。
【００３２】
この第２の実施の形態の打撃工具１０Ａの電動モータ２１Ａは、第１の実施の形態の打撃工具１０の電動モータ２１と相違する位置に配置されている。すなわち、打撃工具１０Ａの電動モータ２１Ａは、図３および図４に示すように打撃軸線Ｘに対して後側にずらされた位置に配置されている。なお、動力変換機構２３と打撃機構２５については打撃軸線Ｘ上に配置されている。また、左ハンドル１７と右ハンドル１８のそれぞれも、打撃軸線Ｘを中心にして左右対称配置された一対のハンドルとなっている。ここで、第２の実施の形態のバッテリ装着部５２（５０）は、図２に示すように工具本体１１の工具頭部１５の前面１５ｃに２つ並べられて設けられている。具体的には、工具頭部１５の前面１５ｃの左半分には左側バッテリ装着部５２ａが設けられており、工具頭部１５の前面１５ｃの右半分には右側バッテリ装着部５２ｂが設けられている。つまり、第２実施の形態のバッテリ装着部５２（５０）にあっても、工具頭部１５の前面１５ｃの左右位置に対をなすように設けられている。つまり、これら左側バッテリ装着部５２ａと右側バッテリ装着部５２ｂとは、工具頭部１５の前面１５ｃにおいて打撃軸線Ｘに応じた左右対称位置に対をなすようにして設けられている。
【００３３】
この第２実施の形態のバッテリ装着部５２ａ，５２ｂにあっても、上から下に向けてスライドさせることにより充電式バッテリ４０が装着される。このように設けられたバッテリ装着部５２ａ，５２ｂに充電式バッテリ４０が装着されると、装着された充電式バッテリ４０は打撃軸線Ｘを挟んで電動モータ２１Ａの配置側とは反対側に位置される。つまり、充電式バッテリ４０は、打撃軸線Ｘに対して電動モータ２１Ａと前後でバランスされたものとなる。これによって、この打撃工具１０Ａは、前後の重量バランスに優れた使用者にとって扱い易い打撃工具１０Ａとなる。また、この工具本体１１には、バッテリ装着部５２ａ，５２ｂに装着された充電式バッテリ４０を外部衝突から守る保護リブ６０（６１，６２）が設けられている。具体的には、左側バッテリ装着部５２ａの左隣には左側保護リブ６１が設けられており、右側バッテリ装着部５２ｂの右隣には右側保護リブ６２が設けられている。なお、この保護リブ６０は、本発明に係る保護部材に相当する。
【００３４】
これらの保護リブ６１，６２は、工具頭部１５の前面１５ｃから前側へリブ形に突出して形成されている。この保護リブ６１，６２は、バッテリ装着部５２ａ，５２ｂに装着された充電式バッテリ４０の側面と対面する略板形に形成されている。この保護リブ６１，６２の板形は、適宜の左右厚み幅を有して形成されている。また、この保護リブ６１，６２の板形は、装着された充電式バッテリ４０の側面を、前後上下方向で覆う範囲を有して設定されている。このため、前側や左右両側に打撃工具１０が倒れることがあっても、充電式バッテリ４０が地面に当てられる前に先ず保護リブ６１，６２を地面に当てられることとなって、バッテリ装着部５２ａ，５２ｂに装着された充電式バッテリ４０が地面に当てられ難くなっている。つまり、バッテリ装着部５２ａ，５２ｂに装着された充電式バッテリ４０を外部衝突から守ることができる。
【００３５】
［第３の実施の形態］
次に、第３の実施の形態について図５を参照しながら説明する。図５の全体正面図は、第３の実施の形態の打撃工具１０Ｂの全体を模式的に示している。この第３の実施の形態の打撃工具１０Ｂは、第１の実施の形態の打撃工具１０と比較してバッテリ装着部５３ａ，５３ｂの配設位置が相違する。すなわち、第３の実施の形態のバッテリ装着部５３（５０）は、図５に示すように工具本体１１の工具頭部１５の上面１５ｄに２つ並べられて設けられている。具体的には、工具頭部１５の上面１５ｄの左半分には左側バッテリ装着部５３ａが設けられており、工具頭部１５の上面１５ｄの右半分には右側バッテリ装着部５３ｂが設けられている。この第３実施の形態のバッテリ装着部５３（５０）にあっても、左側バッテリ装着部５３ａと右側バッテリ装着部５３ｂとは、工具頭部１５の上面１５ｄにおいて打撃軸線Ｘに対して左右対称位置に対をなすようにして設けられている。
【００３６】
この第３実施の形態のバッテリ装着部５３ａ，５３ｂは、前から後に向けてスライドさせることにより充電式バッテリ４０が装着される。このように設けられたバッテリ装着部５３ａ，５３ｂに充電式バッテリ４０が装着されると、装着された充電式バッテリ４０同士は打撃軸線Ｘを挟んで互いに左右でバランスされたものとなる。これによって、この打撃工具１０Ｂは、左右の重量バランスに優れた使用者にとって扱い易い打撃工具１０Ｂとなる。また、この打撃工具１０Ｂによれば、２つのバッテリ装着部５３ａ，５３ｂのそれぞれは工具頭部１５の上面１５ｄに設定されているので、打撃工具１０が前後左右で倒れることがあっても、先ず工具本体１１の側面に配置されるハンドル１７，１８や工具頭部１５の側面が地面に当てられることとなり、工具頭部１５の上面１５ｄの充電式バッテリ４０が地面に当てられ難くなっている。これによって、バッテリ装着部５３ａ，５３ｂに装着された充電式バッテリ４０の保護を図ることができる。また、工具頭部１５の上面１５ｄにバッテリ装着部５３ａ，５３ｂが設けられていると、使用者は立ったままで充電式バッテリ４０を着脱することができて充電式バッテリ４０の交換がし易くなる。
【００３７】
［第４の実施の形態］
次に、第４の実施の形態について図６を参照しながら説明する。図６の全体正面図は、第４の実施の形態の打撃工具１０Ｃの全体を模式的に示している。この第４の実施の形態の打撃工具１０Ｃは、第３の実施の形態の打撃工具１０Ｂと比較してバッテリカバー６５が２つの充電式バッテリ４０を覆っている。すなわち、第４の実施の形態のバッテリ装着部５４（５０）は、上記した第３の実施の形態と同様に工具本体１１の工具頭部１５の上面１５ｄに２つ並べられて設けられている。具体的には、工具頭部１５の上面１５ｄの左半分には左側バッテリ装着部５４ａが設けられており、工具頭部１５の上面１５ｄの右半分には右側バッテリ装着部５４ｂが設けられている。
【００３８】
ここで、工具頭部１５には、バッテリカバー６５が設けられている。このバッテリカバー６５は、バッテリ装着部５４ａ，５４ｂに装着された充電式バッテリ４０を覆うように設けられる。このバッテリカバー６５は、バッテリ装着部５４ａ，５４ｂに装着された充電式バッテリ４０を外部と遮断するように設けられる。このバッテリカバー６５は、工具頭部１５から取外し可能に設けられる。すなわち、バッテリ装着部５４ａ，５４ｂに充電式バッテリ４０を着脱するに際して、工具頭部１５から取り外すことができるように工具頭部１５に設けられている。このバッテリカバー６５を工具頭部１５に取り付けるにあたっては、このバッテリカバー６５の開口端縁６６に設けられた図示省略の係止構造を工具頭部１５に係止させて取り付けられる。なお、このバッテリカバー６５は、バッテリ装着部５４ａ，５４ｂに装着された充電式バッテリ４０を覆うように設けられるものであれば、どのように構成されるものであってもよい。つまり、このバッテリカバー６５としては、工具頭部１５にヒンジ結合されて開け閉め可能に構成されるものであってもよい。
【００３９】
このようにバッテリカバー６５が設けられていると、バッテリ装着部５４ａ，５４ｂに装着された充電式バッテリ４０を覆うことができて、バッテリ装着部５４ａ，５４ｂに装着された充電式バッテリ４０の防塵防水効果を高めることができる。また、このようにバッテリカバー６５が設けられていると、バッテリ装着部５４ａ，５４ｂに装着された充電式バッテリ４０を覆っているので、バッテリ装着部５４ａ，５４ｂに装着された充電式バッテリ４０を単純な外部衝突からも守ることができる。つまり、バッテリ装着部５４ａ，５４ｂに装着された充電式バッテリ４０の保護を、より図ることができる。
【００４０】
［第５の実施の形態］
次に、第５の実施の形態について図７を参照しながら説明する。図７の全体正面図は、第５の実施の形態の打撃工具１０Ｄの全体を模式的に示している。第５の実施の形態の打撃工具１０Ｄは、第３の実施の形態の打撃工具１０Ｂと比較してバッテリ装着部５５が工具胴体１３に設けられている。この第５実施の形態のバッテリ装着部５５（５０）にあっても、左側バッテリ装着部５５ａと右側バッテリ装着部５５ｂとは、工具胴体１３において打撃軸線Ｘに対して左右対称位置に対をなすようにして設けられている。すなわち、工具胴体１３の左側面１３ａには左側バッテリ装着部５５ａが設けられており、工具胴体１３の右側面１３ｂには右側バッテリ装着部５５ｂが設けられている。
【００４１】
詳しく言えば、左側バッテリ装着部５５ａは、左ハンドル１７の基端部１７ａ下側の出力側ハウジング１４に、左側に装着面を向けて設定されている。また、右側バッテリ装着部５５ｂは、右ハンドル１８の基端部１８ａ下側の出力側ハウジング１４に、右側に装着面を向けて設定されている。この第５実施の形態のバッテリ装着部５５（５０）にあっても、左側バッテリ装着部５５ａと右側バッテリ装着部５５ｂとは、工具胴体１３において打撃軸線Ｘに対して左右対称位置に対をなすようにして設けられている。また、これら左側バッテリ装着部５５ａと右側バッテリ装着部５５ｂとには、下から上に向けてスライドさせることにより充電式バッテリ４０が装着される。
【００４２】
第５の実施の形態の打撃工具１０Ｄには、２つの境界線Ｓ１，Ｓ２が設定されている。すなわち、工具本体１１のツールホルダ２７１の下端（Ｙ１）と、左ハンドル１７の左端部１７ｂ（Ｙ２）とを結ぶ線が左側境界線Ｓ１として設定される。また、工具本体１１のツールホルダ２７１の下端（Ｙ１）と、右ハンドル１８の右端部１８ｂ（Ｙ３）とを結ぶ線が右側境界線Ｓ２として設定される。なお、ツールホルダ２７１は、工具本体１１の最下端として規定している。ここで、左側バッテリ装着部５５ａは、左側バッテリ装着部５５ａに装着された充電式バッテリ４０の外周面４０ａが左側境界線Ｓ１より右側の範囲に収められるように設定されている。また、右側バッテリ装着部５５ｂは、右側バッテリ装着部５５ｂに装着された充電式バッテリ４０の外周面４０ｂが右側境界線Ｓ２より左側の範囲に収められるように設定されている。
【００４３】
この第５の実施の形態の打撃工具１０Ｄによれば次の作用効果を奏することができる。すなわち、バッテリ装着部５５ａ，５５ｂのそれぞれはハンドル１７，１８に対して打撃出力側となる工具胴体１３の左右それぞれの側面１３ａ，１３ｂに設定されているので、打撃工具１０Ｄの重心位置を下に下げることができる。ここで、左側バッテリ装着部５５ａに装着された充電式バッテリ４０は左側境界線Ｓ１より右側の範囲に収められている。このため、打撃工具１０Ｄが左側に倒れてしまうことがあっても、先ず左ハンドル１７の左端部１７ｂを地面に当てさせることができ、左側バッテリ装着部５５ａに装着された充電式バッテリ４０が地面に当てられ難くなっている。また、右側バッテリ装着部５５ｂに装着された充電式バッテリ４０は右側境界線Ｓ２より左側の範囲に収められている。このため、打撃工具１０Ｄが右側に倒れてしまうことがあっても、先ず右ハンドル１８の右端部１８ｂを地面に当てさせることができ、右側バッテリ装着部５５ｂに装着された充電式バッテリ４０が地面に当てられ難くなっている。これによって、バッテリ装着部５５に装着された充電式バッテリ４０の保護を図ることができる。
【００４４】
［第６の実施の形態］
次に、第６の実施の形態について図８を参照しながら説明する。図８の全体正面図は、第６の実施の形態の打撃工具１０Ｅの全体を模式的に示している。この第６の実施の形態のバッテリ装着部５６（５０）は、上記した第５の実施の形態とは相違し、斜め下側に装着面を向けて設定されている。具体的には、工具胴体１３の左側に設けられる左側バッテリ装着部５６ａは、左斜め下側に装着面を向けて設定される。また、工具胴体１３の右側に設けられる右側バッテリ装着部５６ｂは、右斜め下側に装着面を向けて設定される。これら左側バッテリ装着部５６ａと右側バッテリ装着部５６ｂとには、前から後に向けてスライドさせることにより充電式バッテリ４０が装着される。つまり、これら左側バッテリ装着部５６ａと右側バッテリ装着部５６ｂとは、工具胴体１３において打撃軸線Ｘに対して左右対称に設定されている。
【００４５】
ここで、この第６の実施の形態の打撃工具１０Ｅは、第５の実施の形態の打撃工具１０Ｄと比較して、左バッテリカバー７１および右バッテリカバー７２が設けられている。左バッテリカバー７１は、左側バッテリ装着部５６ａに装着された充電式バッテリ４０を覆うように出力側ハウジング１４に設けられている。また、右バッテリカバー７２は、右側バッテリ装着部５６ｂに装着された充電式バッテリ４０を覆うように出力側ハウジング１４に設けられている。これらのバッテリカバー７１，７２は、バッテリ装着部５６ａ，５６ｂに装着された充電式バッテリ４０を外部と遮断するように設けられる。これらのバッテリカバー７１，７２は、工具胴体１３の出力側ハウジング１４にヒンジ結合されて開け閉め可能に構成されている。
【００４６】
これらのバッテリカバー７１，７２にあっても、上記した第４の実施の形態のバッテリカバー６５と略同様の作用効果を奏することができる。すなわち、これらのバッテリカバー７１，７２が設けられていると、バッテリ装着部５６ａ，５６ｂに装着された充電式バッテリ４０を覆うことができて、バッテリ装着部５６ａ，５６ｂに装着された充電式バッテリ４０の防塵防水効果を高めることができる。また、このようにバッテリカバー７１，７２が設けられていると、バッテリ装着部５６ａ，５６ｂに装着された充電式バッテリ４０を覆っているので、バッテリ装着部５６ａ，５６ｂに装着された充電式バッテリ４０を単純な外部衝突からも守ることができる。つまり、バッテリ装着部５６ａ，５６ｂに装着された充電式バッテリ４０の保護を、より図ることができる。
【００４７】
さらに言えば、左バッテリカバー７１は左側境界線Ｓ１より右側の範囲に収められており、右バッテリカバー７２は右側境界線Ｓ２より左側の範囲に収められている。このため、打撃工具１０Ｅが左右に倒れてしまうことがあっても、先ずハンドル１７，１８の端部１７ｂ，１８ｂを地面に当てさせることができ、バッテリカバー７１，７２が地面に当てられ難くなっている。これによって、バッテリカバー７１，７２を含むバッテリ装着部５６ａ，５６ｂに装着された充電式バッテリ４０の保護を、より図ることができる。
【００４８】
なお、本発明に係る打撃工具としては、上記した打撃工具１０，１０Ａ〜Ｅの例に限定されることなく、適宜箇所に変更して構成されるものであってもよい。すなわち、上記した第１〜第６の実施の形態のバッテリ装着部５１，５２，５３，５４，５５，５６にあっては、工具本体１１に対して全て２つずつ設けられるものとなっていた。しかしながら、本発明に係るバッテリ装着部は、これに限定されることなく、３つ以上の個数で工具本体に設けられるものであってもよい。ただ、このようにバッテリ装着部の個数を３つ以上とした場合には、上記した実施の形態のように打撃軸線Ｘに対しての前後左右のバランスを鑑みて配置位置が設定されることが好ましい。また、本発明に係る保護部材としては、上記した保護リブ６１，６２の例に限定されることなく、適宜の構成を採用することができる。例えば、上記した保護リブ６１，６２の成形材料に、弾性変形可能な樹脂を選択するものであってもよい。このような弾性変形可能な樹脂によって保護リブを成形した場合には、この保護リブは弾性変形可能なバンパのように機能することができる。また、このような保護バンパにあっては、外端（前端）部分のみを弾性変形可能な樹脂で成形するものであってもよい。さらに、上記した第１〜第６の実施の形態のほか、これらの各構成の種々の部分を適宜に組み合わせることにより成し得る実施の形態とするものであってもよい。
【符号の説明】
【００４９】
１０，１０Ａ，１０Ｂ，１０Ｃ，１０Ｄ，１０Ｅ  打撃工具
１１  工具本体
１３  工具胴体
１３ａ  左側面
１３ｂ  右側面
１４  出力側ハウジング
１５  工具頭部
１５ａ  左側面
１５ｂ  右側面
１５ｃ  前面
１５ｄ  上面
１６  頭部ハウジング
１７  左ハンドル
１７ａ  基端部
１７ｂ  左端部
１８  右ハンドル
１８ａ  基端部
１８ｂ  右端部
１９  防塵カバー
２０  駆動機構
２１，２１Ａ  電動モータ
２３  動力変換機構
２４  駆動部ハウジング
２５  打撃機構
２７  工具保持部
２７１  ツールホルダ
２７２  ツールリテーナ
２９  ばね部材（弾性部材）
４０  充電式バッテリ
４０ａ，４０ｂ  外周面
５０（５１，５２，５３，５４，５５，５６）  バッテリ装着部
５１ａ，５２ａ，５３ａ，５４ａ，５５ａ，５６ａ  左側バッテリ装着部
５１ｂ，５２ｂ，５３ｂ，５４ｂ，５５ｂ，５６ｂ  右側バッテリ装着部
６１（６０）  左側保護リブ
６２（６０）  側保護リブ
６５  バッテリカバー
６６  開口端縁
７１  左バッテリカバー
７２  右バッテリカバー
Ｂ  ビット
Ｓ１  左側境界線
Ｓ２  右側境界線
Ｘ  打撃軸線
【図１】
2016165783.tif 000003
【図２】
2016165783.tif 000004
【図３】
2016165783.tif 000005
【図４】
2016165783.tif 000006
【図５】
2016165783.tif 000007
【図６】
2016165783.tif 000008
【図７】
2016165783.tif 000009
【図８】
2016165783.tif 000010